(57)【要約】      （修正有）【課題】静翼の軸方向一方側端部に当たった一部の気流によって、動翼から送出された気流が乱されることを抑制する。【解決手段】軸流ファン５００は、ロータ１と、動翼２０１を有するインペラ２００と、ロータを径方向外方から覆うステータ２と、ステータを径方向外方から覆う筒状のハウジング３と、を備える。インペラは、ロータの軸方向一方側端部に設けられる。ハウジングは、軸方向一方側に開口が設けられた第１ハウジング３１と、動翼よりも軸方向他方に位置する静翼３３と、静翼の径方向外端部が接続された第２ハウジング３２と、を有する。静翼は、第１ハウジングの径方向外側面に接続され且つ径方向外方に延びる。静翼の径方向内端部における軸方向一方側端部は、第１ハウジングの軸方向一方側端部と同じ軸方向位置、又は、第１ハウジングの軸方向一方側端部よりも軸方向一方にある。【選択図】図２
2020186653.tif 000002
【特許請求の範囲】
【請求項１】
上下方向に延びる中心軸を中心にして回転可能なロータと、
前記ロータの軸方向一方側端部に設けられ、前記ロータとともに回転可能な動翼を有するインペラと、
前記ロータを径方向外方から覆うステータと、
前記ステータを径方向外方から覆う筒状のハウジングと、
を備え、
前記ハウジングは、
軸方向一方側に開口が設けられた第１ハウジングと、
前記動翼よりも軸方向他方側に位置し、前記第１ハウジングの径方向外側面に接続され且つ径方向外方に延びる静翼と、
前記静翼の径方向外端部が接続された第２ハウジングと、
を有し、
前記静翼の径方向内端部における軸方向一方側端部は、前記第１ハウジングの軸方向一方側端部と同じ軸方向位置、又は、前記第１ハウジングの軸方向一方側端部よりも軸方向一方にある、軸流ファン。
【請求項２】
前記静翼の軸方向一方側端部は、全て前記第１ハウジングの軸方向一方側端部と同じ軸方向位置、又は、前記第１ハウジングの軸方向一方側端部よりも軸方向一方側にある、請求項１に記載の軸流ファン。
【請求項３】
前記静翼の軸方向一方側端部における径方向内端部は、前記第１ハウジングの軸方向一方側端部と滑らかに接続される、請求項１又は請求項２に記載の軸流ファン。
【請求項４】
前記ハウジングは、
前記第１ハウジングの径方向内側面に接続され且つ径方向内方に延びて前記開口を複数に分割する支持部と、
前記支持部の径方向内端部が接続され且つ軸方向に延びる筒状の内筒部と、
をさらに有し、
前記第１ハウジングの軸方向一方側端部は、前記内筒部の軸方向一方側端部と径方向に対向する、請求項１から請求項３のいずれか１項に記載の軸流ファン。
【請求項５】
前記内筒部は、該内筒部の径方向外側面において径方向外方に突出して周方向に延びる突起部を有し、
前記突起部は、前記第１ハウジングの軸方向一方側端部よりも軸方向一方にある、請求項４に記載の軸流ファン。
【請求項６】
前記ステータは、
前記第１ハウジングの径方向内側面で保持されるコアバック部と、
前記コアバック部から径方向内方に延びるティース部と、
を有し、
前記内筒部の軸方向他方側端部のうちの少なくとも径方向外端部は、前記ティース部と軸方向に対向する、請求項４又は請求項５に記載の軸流ファン。
【請求項７】
軸方向から見て、前記開口は前記ティース部と重なる、請求項６に記載の軸流ファン。
【請求項８】
前記第１ハウジングは、軸方向一方側から軸方向他方側に向かうにつれて径方向の外径が大きくなる円錐台筒部を有する、請求項１から請求項７のいずれか１項に記載の軸流ファン。
【請求項９】
前記第１ハウジングは、前記円錐台筒部の軸方向他方側端部から軸方向他方に延び且つ径方向の外径が一定である円筒部をさらに有し、
前記円筒部の径方向外側面における軸方向一方側端部は、前記円錐台筒部の径方向外側面における軸方向他方側端部と滑らかに接続される、請求項８に記載の軸流ファン。
【請求項１０】
前記インペラは、前記第１ハウジングの軸方向一方側端部を覆うインペラベースをさらに有し、
前記インペラベースの径方向外端部は、前記第１ハウジングの径方向外端部と同じ径方向位置にある、請求項１から請求項９のいずれか１項に記載の軸流ファン。
【請求項１１】
前記開口の数と前記静翼の数とは、互いに素である、請求項１から請求項１０のいずれか１項に記載の軸流ファン。
【請求項１２】
前記第１ハウジングと少なくとも１つの前記静翼との接続部の軸方向一方側端部は、前記開口と径方向に重なる、請求項１から請求項１１のいずれか１項に記載の軸流ファン。
【発明の詳細な説明】
【技術分野】
【０００１】
本発明は、軸流ファンに関する。
【背景技術】
【０００２】
軸流ファンでは、モータの駆動によってインペラの動翼が回転し、該動翼から気流が軸方向に流れる。たとえば、特許文献１が開示する電気モータでは、モータの作動中にインペラが発生させた空気流が下流に進んでフレームの中を流れる。フレームは、円筒形状の内壁と、該内壁を囲む外壁と、を有する。内壁と外壁との間には、多数のディフューザーベーンが延びる。
【先行技術文献】
【特許文献】
【０００３】
【特許文献１】特開２０１７−１２３７７１号公報
【発明の概要】
【発明が解決しようとする課題】
【０００４】
しかしながら、動翼から軸方向に流れる気流のうちの一部は、特許文献１のディフューザーベーンに対応する静翼の軸方向一方側端部に当たり、径方向内方に向かう。この際、径方向内方に向かう気流が、特許文献１の内壁に対応するハウジングの径方向外側面に当たって、行き場を失って滞留したり、動翼に向かって逆流したりする虞がある。このような滞留、逆流は、動翼から送出された気流を乱す原因となり、軸流ファンの送風量及び送風圧を低下させたり、振動及び騒音を発生させたりする虞がある。
【０００５】
本発明は、静翼の軸方向一方側端部に当たった一部の気流によって、動翼から送出された気流が乱されることを抑制することを目的とする。
【課題を解決するための手段】
【０００６】
本発明の例示的な軸流ファンは、上下方向に延びる中心軸を中心にして回転可能なロータと、前記ロータの軸方向一方側端部に設けられ、前記ロータとともに回転可能な動翼を有するインペラと、前記ロータを径方向外方から覆うステータと、前記ステータを径方向外方から覆う筒状のハウジングと、を備える。前記ハウジングは、軸方向一方側に開口が設けられた第１ハウジングと、前記動翼よりも軸方向他方側に位置し、前記第１ハウジングの径方向外側面に接続され且つ径方向外方に延びる静翼と、前記静翼の径方向外端部が接続される第２ハウジングと、を有する。前記静翼の径方向内端部における軸方向一方側端部は、前記第１ハウジングの軸方向一方側端部と同じ軸方向位置、又は、前記第１ハウジングの軸方向一方側端部よりも軸方向一方にある。
【発明の効果】
【０００７】
本発明の例示的な軸流ファンによれば、静翼の軸方向一方側端部に当たった一部の気流によって、動翼から送出された気流が乱されることを抑制することができる。
【図面の簡単な説明】
【０００８】
【図１】図１は、軸流ファンの斜視図である。
【図２】図２は、軸流ファンの構成例を示す断面図である。
【図３】図３は、軸方向他方を向いて見た軸流ファンの軸方向一方側端面図である。
【発明を実施するための形態】
【０００９】
以下に図面を参照して例示的な実施形態を説明する。
【００１０】
なお、本明細書では、軸流ファン５００及びモータ１００において、中心軸ＣＡと平行な方向を「軸方向」と呼ぶ。軸方向のうち、後述するハウジングカバー４からインペラ２００への向きを「軸方向一方」と呼び、インペラ２００からハウジングカバー４への向きを「軸方向他方」と呼ぶ。各々の構成要素において、軸方向一方における端部を「軸方向一方側端部」と呼ぶ。さらに、軸方向他方における端部を「軸方向他方側端部」と呼ぶ。また、各々の構成要素の表面において、軸方向一方を向く面を「軸方向一方側端面」と呼び、軸方向他方を向く面を「軸方向他方側端面」と呼ぶ。
【００１１】
また、中心軸ＣＡに直交する方向を「径方向」と呼ぶ。径方向のうち、中心軸ＣＡへと近づく向きを「径方向内方」と呼び、中心軸ＣＡから離れる向きを「径方向外方」と呼ぶ。各々の構成要素において、内方における端部を「径方向内端部」と呼ぶ。さらに、外方における端部を「径方向外端部」と呼ぶ。また、各々の構成要素の側面において、内方を向く側面を「径方向内側面」と呼び、外方を向く側面を「径方向外側面」と呼ぶ。
【００１２】
また、中心軸ＣＡを中心とする回転方向を「周方向」と呼ぶ。各々の構成要素において、周方向における端部を「周方向端部」と呼び、周方向における周方向端部の位置を「周方向端」と呼ぶ。また、一方の周方向における端部を「周方向一方側端部」と呼ぶ。さらに、他方の周方向における端部を「周方向他方側端部」と呼ぶ。また、各々の構成要素の側面において、周方向を向く側面を「周方向側面」と呼ぶ。さらに、一方の周方向を向く側面を「周方向一方側面」と呼び、他方の周方向を向く側面を「周方向他方側面」と呼ぶ。
【００１３】
また、本明細書において、「環状」は、中心軸ＣＡを中心とする周方向の全周に渡って切れ目の無く連続的に一繋がりとなる形状のほか、中心軸ＣＡを中心とする全周の一部に切れ目を有する円弧状を含む。
【００１４】
なお、以上に説明した方向、位置、面、「環状」の定義などの事項は、実際の機器に組み込まれた場合において厳密に適用されるものではない。
【００１５】
＜１．実施形態＞
図１は、軸流ファン５００の斜視図である。図２は、軸流ファン５００の構成例を示す断面図である。図３は、軸方向他方を向いて見た軸流ファン５００の軸方向一方側端面図である。なお、図２は、中心軸ＣＡを含む仮想の平面で軸流ファン５００を切断した場合の周方向から見た断面構造を示す。また、図３では、図を見易くするため、インペラ２００の図示を省略している。
【００１６】
＜１−１．軸流ファンの構成＞
軸流ファン５００は、モータ１００と、インペラ２００と、を備える送風装置である。モータ１００は、インペラ２００を回転駆動する駆動装置である。インペラ２００は、モータ１００の後述するロータ１の軸方向一方側端部に設けられる羽根車である。インペラ２００は、複数の動翼２０１と、有蓋筒状のインペラベース２０２と、を有する。複数の動翼２０１は、上下方向に延びる中心軸ＣＡを中心にしてロータ１とともに回転可能であり、インペラベース２０２から径方向外方に延びる。動翼２０１は、モータ１００の駆動により中心軸ＣＡを中心に回転することにより、軸方向他方に向かって気流Ｆを送出する。
【００１７】
＜１−２．モータの構成＞
次に、モータ１００の構成を説明する。モータ１００は、ロータ１と、ステータ２と、ハウジング３と、ハウジングカバー４と、基板５と、を備える。言い換えると、軸流ファン５００は、ロータ１と、ステータ２と、ハウジング３と、ハウジングカバー４と、基板５と、を備える。
【００１８】
＜１−２−１．ロータ＞
ロータ１は、上下方向に延びる中心軸ＣＡを中心にして回転可能である。ロータ１は、シャフト１０と、マグネット１１と、バランス錘１２と、を有する。
【００１９】
シャフト１０は、ロータ１の回転軸であり、中心軸ＣＡを中心にして回転可能である。シャフト１０の軸方向一方側端部には、インペラベース２０２が取り付けられる。
【００２０】
マグネット１１は、本実施形態では軸方向に延びる円筒形状であり、シャフト１０の径方向外側面に固定される。マグネット１１は、ステータ２よりも径方向内方に位置し、ステータ２の径方向内端部と径方向に対向する。
【００２１】
バランス錘１２は、ロータ１の回転バランスを調整するための部材である。バランス錘１２は、中心軸ＣＡを中心とする環状であり、本実施形態ではマグネット１１よりも軸方向一方側及び軸方向他方側においてシャフト１０の径方向外側面に設けられる。
【００２２】
＜１−２−２．ステータ＞
ステータ２は、ロータ１を駆動して回転させる。ステータ２は、中心軸ＣＡを中心とする環状であり、ロータ１を径方向外方から覆う。ステータ２は、ステータコア２１と、インシュレータ２２と、複数のコイル部２３と、を有する。
【００２３】
ステータコア２１は、中心軸ＣＡを中心とする環状の磁性体であり、本実施形態では複数の電磁鋼板が軸方向に積層された積層体である。ステータコア２１は、コアバック部２１１と、ティース部２１２と、スロットＳと、を有する。言い換えると、ステータ２は、コアバック部２１１と、ティース部２１２と、スロットＳと、を有する。コアバック部２１１は、中心軸ＣＡを中心とする環状であり、第１ハウジング３１の径方向内側面で保持される。ティース部２１２は、複数であって、周方向に並ぶ。各々のティース部２１２は、コアバック部２１１から径方向内方に延びる。より具体的には、ティース部２１２は、コアバック部２１１から径方向内方に延びるアーム部２１２１と、該アーム部２１２１の径方向内端部から周方向の両側に延びる先端部（図示省略）と、を有する。スロットＳは、周方向に隣り合うティース部２１２間に設けられ、ステータ２を軸方向に貫通する。
【００２４】
インシュレータ２２は、たとえば樹脂材料を用いた絶縁部材であり、ステータコア２１の少なくとも一部を覆う。
【００２５】
コイル部２３は、インシュレータ２２を介して導線（符号省略）がステータコア２１に巻き付けられた巻回部材である。より具体的には、各々のコイル部２３において、該導線は、インシュレータ２２を介してティース部２１２のアーム部２１２１に巻き付けられる。導線の端部は、基板５に接続される。
【００２６】
＜１−２−３．ハウジング＞
次に、ハウジング３は、軸方向に延びる筒状であり、ステータ２を径方向外方から覆う。ハウジング３は、本実施形態では、アルミニウムなどの非磁性の金属製であり、ステータ２の軸方向一方側の部分を収容する。但し、この例示に限定されず、ハウジング３は、樹脂製であってもよい。ハウジング３は、第１ハウジング３１と、第２ハウジング３２と、静翼３３と、内筒部３４と、を有する。
【００２７】
第１ハウジング３１は、軸方向に延びる有蓋筒状であり、ステータ２を径方向外方から覆う。第１ハウジング３１の軸方向一方側には、第１開口３１ａが設けられる。第１ハウジング３１及び第１開口３１ａの具体的な構成は後に説明する。
【００２８】
第２ハウジング３２は、軸方向に延びる筒状である。第２ハウジング３２は、第１ハウジング３１よりも径方向外方に設けられる。第２ハウジング３２には、静翼３３の径方向外端部が接続される。
【００２９】
静翼３３は、第１ハウジング３１の径方向外側面と第２ハウジング３２の径方向内側面とを接続するリブである。静翼３３は、動翼２０１よりも軸方向他方側に位置する。静翼３３は、第１ハウジング３１の径方向外側面に接続され、径方向外方に延びる。つまり、静翼３３の径方向内端部は、第１ハウジング３１の径方向外側面に接続される。静翼３３の径方向外端部は、第２ハウジング３２の径方向内側面に接続される。
【００３０】
静翼３３の径方向内端部における軸方向一方側端部は、本実施形態では第１ハウジング３１の軸方向一方側端部と同じ軸方向位置であり、より具体的には、後述する円錐台筒部３３１ａの軸方向一方側端部と同じ軸方向位置である。但し、この例示に限定されず、静翼３３の径方向内端部における軸方向一方側端部は、第１ハウジング３１の軸方向一方側端部よりも軸方向一方側にあってもよい。
【００３１】
インペラ２００の回転によって動翼２０１から軸方向他方に向かう気流Ｆの一部は、静翼３３の軸方向一方側端部に当たる。静翼３３の径方向内端部における軸方向一方側端部が第１ハウジング３１の軸方向一方側端部と同じ軸方向位置、又は、第１ハウジング３１の軸方向一方側端部よりも軸方向一方にあることで、静翼３３の軸方向一方側端部に当たる一部の気流Ｆａによって、動翼２０１から軸方向他方に向かう気流Ｆが乱れることを抑制できる。また、該気流Ｆの乱れに起因する軸流ファン５００の送風量及び送風圧の低下、振動及び騒音の発生などを抑制できる。
【００３２】
たとえば、静翼３３の軸方向一方側端部に当たった一部の気流Ｆａは、第１ハウジング３１及び第２ハウジング３２間を流れる残りの一部の気流Ｆｂから離れ、静翼３３の軸方向一方側端部に沿って径方向内方に向かって流れる。ここで、静翼３３の径方向内端部における軸方向一方側端部が第１ハウジング３１の軸方向一方側端部と同じ軸方向位置、又は、第１ハウジングの軸方向一方側端部よりも軸方向一方にあることにより、径方向内方に向かう気流Ｆａは、第１ハウジング３１の径方向外側面に妨げられることなく、インペラ２００及び第１ハウジング３１間へとスムーズに流れ込むことができる。さらに、気流Ｆａは、インペラ２００及び第１ハウジング３１間で滞留したり或いは逆流したりすることなく、第１ハウジング３１の軸方向一方側端部に設けられた第１開口３１ａを介して第１ハウジング３１の内側に流れることができる。また、上述のような滞留及び逆流がないため、新たな気流Ｆａがインペラ２００及び第１ハウジング３１間に流れ込み難くなることを防止できる。よって、静翼３３の軸方向一方側端部に当たった一部の気流Ｆａによって、動翼２０１から送出されて軸方向他方に流れる気流Ｆが乱されることを抑制できる。また、インペラ２００及び第１ハウジング３１間から逆流した空気の流れにより、動翼２０１から軸方向他方に流れる気流Ｆが乱されることを防止できる。
【００３３】
また、第１ハウジング３１の内側に流れ込んだ気流Ｆａで第１ハウジング３１の内側に設けたステータ２を冷却することができる。
【００３４】
なお、本実施形態では、静翼３３の軸方向一方側端部のうちの径方向外方側の部分は、第１ハウジング３１の径方向内端部よりも軸方向他方側にある。但し、この例示に限定されず、静翼３３の軸方向一方側端部は、全て第１ハウジング３１の軸方向一方側端部と同じ軸方向位置にあってもよく、より具体的には、円錐台筒部３１１ａの軸方向一方側端部と同じ軸方向位置にあってもよい。或いは、静翼３３の軸方向一方側端部は、全て第１ハウジング３１の軸方向一方側端部よりも軸方向一方側にあってもよく、より具体的には、円錐台筒部３１１ａの軸方向一方側端部よりも軸方向一方側にあってもよい。こうすれば、静翼３３の軸方向一方側端部に当たった気流Ｆａが、インペラ２００及び第１ハウジング３１間へとより流れ込み易くなる。
【００３５】
また、静翼３３の軸方向一方側端部における径方向内端部は、図２に示すように、第１ハウジング３１と滑らかに接続され、特に、第１ハウジング３１の軸方向一方側端部と滑らかに接続される。より具体的には、静翼３３の軸方向一方側端面及び径方向内端面のうちの一方の面は、第１ハウジング３１の軸方向一方側端面と接続される。この際、たとえば、両者の接続部分における周方向と垂直な接線の傾きは、静翼３３の上記一方の面から第１ハウジング３１の軸方向一方側端面に向かうにつれて連続的に変化する。言い換えると、両者の接続部分において、静翼３３の上記一方の面の周方向と垂直な接線の傾きは、第１ハウジング３１の軸方向一方側端面の周方向と垂直な接線の傾きと一致する。
【００３６】
こうすれば、静翼３３の軸方向一方側端部に当たってインペラ２００及び第１ハウジング３１間に向かう気流Ｆａが、第１ハウジング３１の径方向外側面に妨げられ難くなる。従って、気流Ｆａが、よりスムーズに、インペラ２００及び第１ハウジング３１間に流れ込むことができる。
【００３７】
次に、内筒部３４は、第１ハウジング３１よりも径方向内方に設けられる第１ベアリング３４０を支持する。内筒部３４は、軸方向に延びる筒状である。内筒部３４には、後述する支持部３１２の径方向内端部が接続される。内筒部３４の径方向内端面には、第１ベアリング３４０が設けられる。内筒部３４は、第１ベアリング３４０を介してシャフト１０の軸方向一方側の部分を回転可能に支持する。
【００３８】
内筒部３４の軸方向他方側端部のうちの少なくとも径方向外端部は、ステータコア２１のティース部２１２と軸方向に対向し、つまり、軸方向においてコイル部２３と対向する。こうすれば、内筒部３４の径方向外側面に当たり且つ軸方向他方側に向かう気流Ｆａは、ティース部２１２に設けられたコイル部２３に当たる。これにより、コイル部２３をより効果的に冷却できる。
【００３９】
内筒部３４は、突起部３４１を有する。突起部３４１は、内筒部３４の径方向外側面において、径方向外方に突出して周方向に延びる。突起部３４１は、第１ハウジング３１の軸方向一方側端部よりも軸方向一方にあり、より具体的には円錐台筒部３１１ａの軸方向一方側端部よりも軸方向一方にある。さらに、突起部３４１は、好ましくは、インペラベース２０２の軸方向他方側端部よりも軸方向一方側にある。こうすれば、内筒部３４の径方向外側面に当たった気流Ｆａが、突起部３４１によって軸方向一方に流れ難くなる。従って、気流Ｆａをより効果的に第１開口３１ａへと誘導することができる。従って、気流Ｆの乱れを抑制することができる。なお、この実施形態に限定されず、突起部３４１は、径方向から見てインペラベース２０２の軸方向他方側端部と重なる軸方向位置にあってもよいし、インペラベース２０２の軸方向他方側端部よりも軸方向他方側にあってもよい。
【００４０】
＜１−２−３−１．第１ハウジング＞
次に、第１ハウジング３１の具体的な構成を説明する。第１ハウジング３１は、筒部３１１と、支持部３１２と、第１開口３１ａと、を有する。言い換えると、ハウジング３は、筒部３１１と、支持部３１２と、第１開口３１ａと、を有する。
【００４１】
筒部３１１は、軸方向に延びる筒状である。筒部３１１は、円錐台筒部３１１ａと、円筒部３１１ｂと、を有する。言い換えると、第１ハウジング３１は、円錐台筒部３１１ａと、円筒部３１１ｂと、を有する。
【００４２】
円錐台筒部３１１ａは、軸方向に延びる筒状であり、本実施形態では第１ハウジング３１の軸方向一方側の部分である。円錐台筒部３１１ａの外形は、円錐台形状である。つまり、軸方向一方側から軸方向他方側に向かうにつれて、円錐台筒部３１１ａの径方向の外径が大きくなる。そのため、第１ハウジング３１及び第２ハウジング３２間を軸方向他方に向かって流れる気流Ｆは乱れ難い。
【００４３】
円錐台筒部３１１ａの軸方向一方側端部は、内筒部３４の軸方向一方側端部と径方向に対向する。つまり、第１ハウジング３１の軸方向一方側端部は、内筒部３４の軸方向一方側端部と径方向に対向する。こうすれば、インペラ２００及び第１ハウジング３１間を通じて径方向内方に流れる気流Ｆａは、内筒部３４の径方向外側面に当たって、流れの向きを軸方向に変える。これにより、気流Ｆａを第１ハウジング３１の第１開口３１ａへと誘導することができる。
【００４４】
円錐台筒部３１１ａの軸方向一方側端部は、インペラベース２０２で覆われる。さらに、円錐台筒部３１１ａの径方向外端部は、インペラベース２０２の径方向外端部と同じ径方向位置にある。言い換えると、インペラベース２０２は、第１ハウジング３１の軸方向一方側端部を覆う。さらに、インペラベース２０２の径方向外端部は、第１ハウジング３１の径方向外端部と同じ径方向位置にある。こうすれば、インペラベース２０２の径方向外端部の近傍において動翼２０１から軸方向他方に向かって流れる気流Ｆが、よりスムーズに、第１ハウジング３１の円錐台筒部３１１ａの径方向外側面に流れ易くなる。従って、インペラベース２０２よりも軸方向他方であり且つ第１ハウジング３１の円錐台筒部３１１ａよりも軸方向一方の軸方向位置において、気流Ｆが乱れ難くなる。
【００４５】
円筒部３１１ｂは、軸方向に延びる円筒状である。円筒部３１１ｂは、本実施形態では第１ハウジング３１の軸方向他方側の部分である。円筒部３１１ｂは、円錐台筒部３１１ａの軸方向他方側端部から軸方向他方に延びる。円筒部３１１ｂの径方向における外径は一定である。
【００４６】
円筒部３１１ｂの径方向外側面における軸方向一方側端部は、円錐台筒部３１１ａの径方向外側面における軸方向他方側端部と滑らかに接続される。円錐台筒部３１１ａの径方向外側面は、円筒部３１１ｂの径方向外側面と接続される。言い換えると、両者の接続部分における周方向と垂直な接線の傾きは、円錐台筒部３１１ａから円筒部３１１ｂに向かうにつれて連続的に変化する。こうすれば、第１ハウジング３１の径方向外側面に沿って軸方向他方に向かって流れる気流Ｆｂが、円錐台筒部３１１ａと円筒部３１１ｂとの接続部分の近傍において乱れ難くなる。
【００４７】
次に、支持部３１２は、円錐台筒部３１１ａの軸方向一方側端部から径方向内方に延びる。支持部３１２の径方向内端部は、筒状の内筒部３４に接続され、本実施形態では内筒部３４の径方向外側面に接続される。支持部３１２は、第１ハウジング３１の径方向内側面に接続され、径方向内方に延びる。
【００４８】
次に、第１開口３１ａは、前述の如く、第１ハウジング３１の軸方向一方側に設けられる。第１開口３１ａを介して、第１ハウジング３１の軸方向一方端部及びインペラ２００間と、ステータ２のスロットＳとが連通する。第１開口３１ａは、筒部３１１の径方向内側面と、支持部３１２と、内筒部３４の径方向外側面と、で囲まれる。言い換えると、第１開口３１ａは、支持部３１２によって複数に分割されている。
【００４９】
第１開口３１ａの数と静翼３３の数とは、好ましくは、互いに素である。こうすれば、両者が素でない場合と比べて、第１開口３１ａ及び静翼３３の相対的な配置パターンの組み合わせをより多くすることができる。従って、配置パターンによる気流Ｆａの乱れのパターンがより多くなるので、第１開口３１ａ付近で発生する気流Ｆａの乱れのパターンが重ならず、互いの干渉を少なくできる。
【００５０】
軸方向から見て、第１開口３１ａは、ステータコア２１のティース部２１２と重なる。より具体的には、第１開口３１ａは、ティース部２１２のアーム部２１２１と重なる。こうすれば、インペラ２００及び第１ハウジング３１間から第１開口３１ａに流れ込む気流Ｆａが、直接に、ティース部２１２のアーム部２１２１に巻き付けられたコイル部２３に当たる。これにより、気流Ｆａによってコイル部２３をより効果的に冷却できる。
【００５１】
また、本実施形態では、径方向において、第１開口３１ａには、第１ハウジング３１と一部の静翼３３との接続部の軸方向一方側端部が重なる。但し、この例示に限定されず、径方向において、第１開口３１ａには、第１ハウジング３１と全ての静翼３３との接続部の軸方向一方側端部が重なっていてもよい。つまり、第１ハウジング３１と少なくとも１つの静翼３３との接続部の軸方向一方側端部が第１開口３１ａと径方向に重なっていればよい。こうすれば、静翼３３の軸方向一方側端部に当たって径方向内方に流れる気流Ｆａが、周方向に向きを変えることなく、インペラ２００及び第１ハウジング３１間へとさらにスムーズに流れることができる。
【００５２】
＜１−２−４．ハウジングカバー＞
ハウジングカバー４は、本実施形態では樹脂製であり、第１ハウジング３１の軸方向他方側端部に取り付けられて、第１ハウジング３１の軸方向他方側端部を覆う。ハウジングカバー４は、ステータ２の軸方向他方側端部を収容する。ハウジングカバー４には、第２ベアリング４０が取り付けられる。ハウジングカバー４は、第２ベアリング４０を介してシャフト１０の軸方向他方側端部を回転可能に支持する。また、ハウジングカバー４には、第２開口４ａが設けられる。第２開口４ａは、第１ハウジング３１の径方向内方側、特に、ステータ２のスロットＳと流体的に接続される。気流Ｆａは、インペラ２００と円錐台筒部３３１ａの軸方向一方側端部との間から第１開口３１ａを介してスロットＳに流入し、第２開口４ａを介してスロットＳからハウジングカバー４の外部に送出される。
【００５３】
＜２．その他＞
以上、本発明の実施形態を説明した。なお、本発明の範囲は上述の実施形態に限定されない。本発明は、発明の主旨を逸脱しない範囲で上述の実施形態に種々の変更を加えて実施することができる。また、上述の実施形態で説明した事項は、矛盾を生じない範囲で適宜任意に組み合わせることができる。
【産業上の利用可能性】
【００５４】
本発明は、ハウジングに静翼が設けられる送風装置に有用である。
【符号の説明】
【００５５】
１００・・・モータ、１・・・ロータ、１０・・・シャフト、１１・・・マグネット、１２・・・バランス錘、２・・・ステータ、２１・・・ステータコア、２１１・・・コアバック部、２１２・・・ティース部、２１２１・・・アーム部、Ｓ・・・スロット、２２・・・インシュレータ、２３・・・コイル部、３・・・ハウジング、３１・・・第１ハウジング、３１ａ・・・第１開口、３１１・・・筒部、３１１ａ・・・円錐台筒部、３１１ｂ・・・円筒部、３１２・・・支持部、３２・・・第２ハウジング、３３・・・静翼、３４・・・内筒部、３４０・・・第１ベアリング、３４１・・・突起部、４・・・ハウジングカバー、４ａ・・・第２開口、４０・・・第２ベアリング、５・・・基板、２００・・・インペラ、２０１・・・動翼、２０２・・・インペラベース、５００・・・軸流ファン、ＣＡ・・・中心軸、Ｆ，Ｆａ，Ｆｂ・・・気流
【図１】
2020186653.tif 000003
【図２】
2020186653.tif 000004
【図３】
2020186653.tif 000005